(57)【要約】【課題】長期保存性がよく、表示基板から帯電粒子を剥離できる電気泳動表示媒体及び電気泳動表示装置を提供する。【解決手段】上部電極２０と逆極性に帯電した剥離用粒子７は、上部電極２２に引きつけられる。上部電極２２と剥離用粒子７との距離が近づくと、剥離用粒子７表面の小粒子７３と上部電極２２との相互作用が強くなり、小粒子７３と上部電極２２は同じ極性であるために反発しあい、剥離用粒子７は上部基板２０から離れる。小粒子７３と上部電極２２との反発力よりも主粒子７１と上部電極２２の引力が大きくなるところまで離れると、主粒子７１と上部電極２２の引力により剥離用粒子７は再び上部電極２２に近づく。これらを繰り返して剥離用粒子７は振動・回転し、水平方向にも移動して、上部基板２０に貼りついている第一表示用粒子５に衝突し、振動させ、上部基板２０から引きはがす。【選択図】図６
2007249139.tif 000002
【特許請求の範囲】
【請求項１】
少なくとも一方が透明な互いに対向する一対の基板と、
前記基板間に形成され、電界が発生される表示部と、
前記表示部に内包され、電界の作用により移動する複数の第一表示用粒子と、
前記表示部に内包され、前記第一表示用粒子と異なる帯電特性を有する複数の剥離用粒子とを備え、
前記剥離用粒子は、前記第一表示用粒子と逆の帯電特性を有する主粒子と、当該主粒子より小さく、前記主粒子と逆の帯電特性を有し、前記主粒子の周囲に接着された複数の小粒子を有することを特徴とする電気泳動表示媒体。
【請求項２】
前記剥離用粒子の粒径は、前記第一表示用粒子の５０分の１以上４分の１以下であることを特徴とする請求項１に記載の電気泳動表示媒体。
【請求項３】
前記小粒子は、前記主粒子の表面積の３０％以上を被覆するように前記主粒子上に接着されていることを特徴とする請求項１又は２に記載の電気泳動表示媒体。
【請求項４】
前記剥離用粒子の個数は、前記第一表示用粒子の個数の３０％以上２００％以下であることを特徴とする請求項１乃至３のいずれかに記載の電気泳動表示媒体。
【請求項５】
前記表示部に内包され、電界の作用により移動し、前記第一表示用粒子と逆の帯電特性を有する第二表示用粒子を備え、
前記剥離用粒子は、前記第二表示用粒子よりも帯電性が高いことを特徴とする請求項１乃至４のいずれかに記載の電気泳動表示媒体。
【請求項６】
前記剥離用粒子は、
前記主粒子の表面を覆い、前記小粒子を前記主粒子に接着する接着膜を有することを特徴とする請求項１乃至５のいずれかに記載の電気泳動表示媒体。
【請求項７】
請求項１乃至６のいずれかに記載の電気泳動表示媒体と、
前記一対の基板に設けられた一対の電極と、
前記一対の電極に電圧を印加する電圧印加手段と
を備えたことを特徴とする電気泳動表示装置。
【発明の詳細な説明】
【技術分野】
【０００１】
本発明は、電気泳動現象を利用して画像を表示する電気泳動表示媒体及び電気泳動表示装置に関するものである。
【背景技術】
【０００２】
一般に、電気泳動現象を利用して画像を表示する電気泳動表示媒体が知られている。この電気泳動表示媒体では、一方が透明な表示基板と、それに対向配置される背面基板とにより、周囲のギャップスペーサーを介して所定間隔を設けた密閉空間が形成される。そして、着色された球状粒子である帯電粒子が分散された着色液体又は気体からなる分散媒が密閉空間に充填されて表示部が形成される。
【０００３】
このような構成のもと、２つの基板から表示部に電界を発生させることで、分散媒中の帯電粒子を表示基板側に移動させて、帯電粒子の色を表示基板の表面に表示させたり、又は帯電粒子を背面基板側に移動させて、分散媒の色を表示基板の表面に表示させたりして、所望の画像が得られる。
【０００４】
このような従来の電気泳動表示媒体では、電圧を切り替えて電界の方向を反転させても、鏡像力により表示基板側に帯電粒子が付着して残留してしまい、コントラストが低下するという問題点があった。そこで、高いコントラストを得るために、表示用の帯電粒子を粒径及び帯電性の異なる２種類の粒子の組み合わせにより構成し、帯電粒子の凝集を起こりにくくすることが提案されている（例えば、特許文献１）。
【特許文献１】特開２００５−２４１７７９号公報
【発明の開示】
【発明が解決しようとする課題】
【０００５】
しかしながら、上記従来の電気泳動表示媒体では、表示用の帯電粒子に剥離作用を持たせるために、長期保存性が低下する問題があった。
【０００６】
本発明は上記問題を解決するためになされたものであり、長期保存性がよく、表示基板から帯電粒子を剥離できる電気泳動表示媒体及び電気泳動表示装置を提供することを目的とする。
【課題を解決するための手段】
【０００７】
上記目的を達成するために、本発明の請求項１に記載の電気泳動表示媒体は、少なくとも一方が透明な互いに対向する一対の基板と、前記基板間に形成され、電界が発生される表示部と、前記表示部に内包され、電界の作用により移動する複数の第一表示用粒子と、前記表示部に内包され、前記第一表示用粒子と異なる帯電特性を有する複数の剥離用粒子とを備え、前記剥離用粒子は、前記第一表示用粒子と逆の帯電特性を有する主粒子と、当該主粒子より小さく、前記主粒子と逆の帯電特性を有し、前記主粒子の周囲に接着された複数の小粒子を有することを特徴とする。
【０００８】
また、本発明の請求項２に記載の電気泳動表示媒体は、請求項１に記載の発明の構成に加え、前記剥離用粒子の粒径が、前記第一表示用粒子の５０分の１以上４分の１以下であることを特徴とする。
【０００９】
また、本発明の請求項３に記載の電気泳動表示媒体は、請求項１又は２に記載の発明の構成に加え、前記小粒子が、前記主粒子の表面積の３０％以上を被覆するように前記主粒子上に接着されていることを特徴とする。
【００１０】
また、本発明の請求項４に記載の電気泳動表示媒体は、請求項１乃至３のいずれかに記載の発明の構成に加え、前記剥離用粒子の個数が、前記第一表示用粒子の個数の３０％以上２００％以下であることを特徴とする。
【００１１】
また、本発明の請求項５に記載の電気泳動表示媒体は、請求項１乃至４のいずれかに記載の発明の構成に加え、前記表示部に内包され、電界の作用により移動し、前記第一表示用粒子と逆の帯電特性を有する第二表示用粒子を備え、前記剥離用粒子は、前記第二表示用粒子よりも帯電性が高いことを特徴とする。
【００１２】
また、本発明の請求項６に記載の電気泳動表示媒体は、請求項１乃至５のいずれかに記載の発明の構成に加え、前記剥離用粒子が、前記主粒子の表面を覆い、前記小粒子を前記主粒子に接着する接着膜を有することを特徴とする。
【００１３】
また、本発明の請求項７に記載の電気泳動表示装置は、請求項１乃至６のいずれかに記載の電気泳動表示媒体と、前記一対の基板に設けられた一対の電極と、前記一対の電極に電圧を印加する電圧印加手段とを備えたことを特徴とする。
【発明の効果】
【００１４】
本発明の請求項１に記載の電気泳動表示媒体は、表示部内に第一表示用粒子と異なる帯電特性を有する複数の剥離用粒子を備え、その剥離用粒子を主粒子よりも小さく主粒子と逆の帯電特性を有する小粒子を主粒子に接着して形成したので、剥離用粒子は、電界により主粒子の帯電特性に従って基板に引きつけられるが、基板近くでは小粒子の帯電が基板と逆であるために反発し、基板から離れると主粒子の帯電特性に従ってまた基板に引きつけられるという動作を繰り返す。このために剥離用粒子は常に振動・回転を繰り返すこととなり、水平方向にも移動して、基板近くに貼りついた第一表示用粒子に衝突し、第一表示用粒子を振動させて、基板から第一表示用粒子を引きはがすことができる。従って、電界の作用にもかかわらず鏡像力で表示側の基板に貼りついた第一表示用粒子がある場合に、剥離用粒子の作用により表示側の基板から引きはがして反対側の基板に移動させることができ、表示される画像のコントラストを向上させ表示品質を高くすることができる。
【００１５】
また、本発明の請求項２に記載の電気泳動表示媒体は、請求項１に記載の発明の効果に加え、剥離用粒子の粒径が、第一表示用粒子の５０分の１以上４分の１以下であるので、他の表示用粒子の動きを妨げず、表示品質を低下させることもない。さらに、基板に貼りついた第一表示用粒子と基板との隙間に入り込み、第一表示用粒子を基板から引きはがす作用を効果的に発揮することができる。
【００１６】
また、本発明の請求項３に記載の電気泳動表示媒体は、請求項１又は２に記載の発明の効果に加え、小粒子が、前記主粒子の表面積の３０％以上を被覆するように前記主粒子上に接着されているので、剥離用粒子と逆の帯電性を有する第一表示用粒子が剥離用粒子７に近づいたときに、剥離用粒子が第一表示用粒子に付着してしまい、第一表示用粒子を基板から引きはがす作用が減じられることがない。
【００１７】
また、本発明の請求項４に記載の電気泳動表示媒体は、請求項１乃至３のいずれかに記載の発明の効果に加え、剥離用粒子の個数が、前記第一表示用粒子の個数の３０％以上２００％以下であるので、基板に貼りついた第一表示用粒子が多数ある場合にも、各第一表示用粒子に作用して基板から引きはがすことができる。
【００１８】
また、本発明の請求項５に記載の電気泳動表示媒体は、請求項１乃至４のいずれかに記載の発明の効果に加え、剥離用粒子は、同じ帯電性を有する第二表示用粒子よりも帯電性が高く、剥離用粒子が第二表示用粒子よりも先に基板に到達するので、その作用により基板に貼りついている第一表示用粒子を確実に引きはがすことができる。
【００１９】
また、本発明の請求項６に記載の電気泳動表示媒体は、請求項１乃至５のいずれかに記載の発明の効果に加え、小粒子を接着膜で主粒子に接着したので、電界の作用により、逆の帯電特性を有する主粒子と小粒子が逆方向に移動しようとしたり、移動中に他の帯電粒子や部材と衝突したり等しても、小粒子が主粒子から剥がれて移動することがない。
【００２０】
また、本発明の請求項７に記載の電気泳動表示装置は、請求項１乃至６のいずれかに記載の電気泳動表示媒体と、前記一対の基板に設けられた一対の電極と、前記一対の電極に電圧を印加する電圧印加手段とを備えたので、請求項１乃至６のいずれかに記載の発明の作用効果を奏することができる。
【発明を実施するための最良の形態】
【００２１】
以下、本発明に係る電気泳動表示装置を具体化した画像表示装置１について図面を参照して説明する。本実施の形態として例示する画像表示装置１は、携帯用の電子機器に具備可能な小型の表示パネル２と、表示パネル２での画像表示を制御する制御装置３とを一体的に備えている。
【００２２】
まず、本実施の形態の画像表示装置１の物理的構成の概略について、図面を参照して説明する。図１は、画像表示装置１の正面図である。図２は、表示パネル２のＡ−Ａ線（図１）における矢視方向断面図である。尚、図２における上方向が画像表示装置１の正面とする。
【００２３】
図１に示すように、電気泳動表示媒体である表示パネル２と制御装置３とが電気的に接続されて画像表示装置１が構成されている。表示パネル２は一例として正面視縦長の直方体形状であり、その側面に制御装置３が配設されている。図２に示すように、表示パネル２は、その下面部分に設けられる下部基板１０と、その上面部分に設けられる上部基板２０とが対向配置されている。そして上部基板１０と下部基板１０との間隙に、表示部３０を備えている。
【００２４】
次に、下部基板１０及び上部基板２０の構成について説明する。図２に示すように、下部基板１０は、表示部３０に電界を発生させる下部電極１２と、下部電極１２の上面側に絶縁材料を塗布等して形成した絶縁膜である下部電極保護膜１１と、下部電極１２の下面側に設けられて画像表示装置１を支持する筐体支持部１３とを備える。下部電極保護膜１１は、ポリエチレンテレフタレートやシリカ等の樹脂フィルムやガラスなどの無機材料等の高い絶縁性を発揮可能な材料により形成される。尚、本実施の形態では、下部電極保護膜１１及び筐体支持部１３は、可撓性のあるポリエチレンテレフタレートにより構成されたプラスチック基板（樹脂フィルム）である。また、下部電極１２は、一定の電圧が印加されるように線状の電気導電体が横方向（図１のＡ−Ａ線方向）に平行に配設された、複数の電極を具備する基板である。
【００２５】
下部基板１０の上方向（図２の上方向）には、下部基板１０に対向して、かつ平行に所定間隔を空けて上部基板２０が設けられる。上部基板２０は、表示部３０に電界を発生させる上部電極２２と、上部電極２２の下面側に絶縁材料を塗布等して形成した絶縁膜である上部電極保護膜２１と、上部電極２２の上面側に設けられて透明な部材により構成されて表示画面として機能する表示層２３とを備える。上部電極保護膜２１はポリイミド，ポリエチレンテレフタレート，ガラスなどの高い透明性を発揮可能な材料により形成される。また、上部電極２２は、一定の電圧が印加されるように線状の電気導電体が縦方向に平行に配設された、複数の電極を具備する基板であり、かつ高い透明性を発揮可能な材料により構成される。本実施の形態では、上部電極保護膜２１はポリエチレンテレフタレートにより構成されたプラスチック基板（樹脂フィルム）である。また、上部電極２２は酸化インジウムすず（ＩＴＯ）により形成された透明電極であり、表示層２３はガラス基板である。つまり、上部基板２０は透明体であるから、利用者が上部基板２０の上方向（図２上方向）から表示部３０を視認可能な表示基板として機能する。
【００２６】
上部基板２０の上面（下部基板１０と対向しない面）には、正面視、小区画セルが存在しない表示部３０の周縁部を、利用者が視認できないように隠蔽するためのマスク部４０が設けられる。マスク部４０は、上部基板２０の四辺に沿って一定幅で設けられ、表示部３０を利用者が視認できるように貫通孔が設けられたロの字型形状の板状部材であり、ポリエチレンテレフタレートなどの合成樹脂を着色したものを接着したり、表示層２３の表面に印刷したインク層で形成すればよい。そして、画像表示装置１をその上方からみると、マスク部４０に設けられた貫通孔から、表示部３０を視認することができる構成となっている。
【００２７】
次に、表示部３０について説明する。図２に示すように、対向して設けられる下部基板１０及び上部基板２０と、スペーサー３１とで形成される間隙が、表示部３０である。スペーサー３１は、下部基板１０及び上部基板２０との間隙に架設され、その間隙を格子状に均等に分割して複数の小区画セルを形成するとともに、下部基板１０及び上部基板２０を支持する。スペーサー３１は、格子状に複数の貫通孔が形成された板状部材として構成された可撓性部材であり、例えばポリイミドやポリエチレンテレフタレートなどの合成樹脂で構成されればよい。
【００２８】
表示部３０の内部には、分散媒３４が充填され、分散媒３４中に第一表示用粒子５，第二表示用粒子６及びこれらの表示用粒子よりも小さい剥離用粒子７が分散される。分散媒３４は、高絶縁性を発揮可能で、かつ粘性の低い、アルコール類，炭化水素，シリコーンオイルなどを利用できる。本実施の形態では、パラフィン系溶剤であるエクソンモービル社製Ｉｓｏｐａｒ（７３ｗｔ％）を使用する。尚、分散媒３４には添加剤としてエタノール（１０ｗｔ％）が加えられている。
【００２９】
第一表示用粒子５，６及び剥離用粒子７は、分散媒３４中において帯電可能な材料が用いられ、有機化合物や無機化合物からなる顔料や染料、もしくは顔料や染料を合成樹脂で包んだものからなる。本実施の形態では、第一表示用粒子５はスチレン樹脂と二酸化チタンの混合物で、粒子径は０．１μｍ〜２０μｍのものが用いられる。本実施形態では、平均粒子径が５μｍのものを使用している。また、第二表示用粒子６はスチレン樹脂とカーボンブラックの混合物で、粒子径は０．１μｍ〜２０μｍのものが用いられる。本実施形態では、平均粒子径が５μｍのもの（１０ｗｔ％）であって、粒子中のカーボンブラックの量が１０ｗｔ％のものを使用している。このため、第一表示用粒子５は白色の色調であり、第二表示用粒子６は黒色の色調である。剥離用粒子７については後述する。
【００３０】
次に、図３を参照して画像表示装置１の電気的構成について説明する。図３は、画像表示装置１の電気的構成を示すブロック図である。画像表示装置１の制御装置３には、表示パネル２を駆動させて画像の表示態様を制御する制御部９０と、画像表示装置１に電源を供給する電源９１と、第一表示用粒子５及び第二表示用粒子６を分散媒３４中で均等に分散させるリフレッシュ動作を指示するリフレッシュデータを記憶するリフレッシュデータ用メモリ９２と、表示パネル２に表示させる画像を示す表示データを記憶する表示データ用メモリ９３と、各電極への電圧印加時間をカウントするタイマ９４と、外部とのデータ交換を行うインターフェイス９９とを備える。また、各上部電極２２に接続されたチャンネルＣＨ１及び表示電極１２に接続されたチャンネルＣＨ２を制御して、下部電極１２及び上部電極２２への電圧印加をそれぞれ司るＣＨ１・ＣＨ２ドライバ９５が制御部９０に接続されている。
【００３１】
このような構成のもと、外部から入力された映像信号及び同期信号や、リフレッシュデータ用メモリ９２及び表示データ用メモリ９３に記憶された各種データに基づいて、制御部９０は画像形成動作を制御する信号又はリフレッシュ動作を制御する信号を、ＣＨ１・ＣＨ２ドライバ９５に送信する。するとＣＨ１・ＣＨ２ドライバ９５は各下部電極１２及び上部電極２２に各々所定のタイミングによって電圧を印加し、第一表示用粒子５及び第二表示用粒子６を上下方向（図２上下方向）に移動させる。そして上部基板２０側に移動した表示用粒子の色を上部基板２０に表示させることで、画像表示装置１を実現している。尚、本実施の形態では上部電極２２が各画素ごとに分割されているが、代わりに下部電極１２を各画素ごとに分割してもよい。つまり、対向する２つの電極の少なくとも一方を複数の区画に分割することで、複数の画素を実現している。尚、本実施の形態において、制御装置３が本発明の「電圧印加手段」に相当する。
【００３２】
次に、図２、図４及び図５を参照して、剥離用粒子７について説明する。図４は、剥離用粒子７の正面図である。図５は、剥離用粒子７のＢ−Ｂ線（図４）における断面図である。図２に示すように、剥離用粒子７は、一方の表示用粒子（本実施形態では、第一表示用粒子５）と逆の帯電特性を有する、表示用粒子よりも小さな帯電粒子である。電圧が切り替わっても鏡像力により上部基板２０側に付着している表示用粒子（図２中、上部基板２０側に位置している第一表示用粒子５）と、上部基板２０との間に入り込み、その帯電特性により表示用粒子を振動させて剥離する作用を有するものである。
【００３３】
剥離用粒子７は、その粒子径ｒａが、第一表示用粒子５，第二表示用粒子６の粒子径の５０分の１〜４分の１の大きさとする。ここで、剥離用粒子７に表示用粒子の粒子径の４分の１よりも大きい粒子を用いると、剥離用粒子７により、第二表示用粒子６が上部基板２０に近づくのが妨げられ、表示が不鮮明になるおそれがあるため、上記のような大きさとしている。
【００３４】
また、剥離用粒子７は、上記のように粒子径が十分小さいので、画像表示のコントラストには影響が少ないが、さらに、同じ帯電特性を有する第二表示用粒子６と同系色もしくは透明な材料で形成すれば、上部基板２０側に剥離用粒子７が引きつけられたときにもコントラストの低下をより防ぐことができる。
【００３５】
尚、剥離用粒子７は、帯電制御材により、第二表示用粒子６よりも帯電性が高くなるように形成されている。これによって、剥離用粒子７が第二表示用粒子６よりも先に上部基板２０に到達するので、剥離用粒子７の作用により、上部基板２０に貼りついている第一表示用粒子５を確実に引きはがすことができる。
【００３６】
また、表示部３０内に分散される剥離用粒子７の量（個数）は、第一表示用粒子５の個数の３０％〜２００％とする。この範囲内の量であれば、後述のように、上部基板２０に貼りついた第一表示用粒子５に作用して第一表示用粒子５を振動させ、上部基板２０から引きはがす効果が十分期待できる。
【００３７】
また、図４及び図５に示すように、剥離用粒子７は、主粒子７１の表面に小粒子７３が接着されてなっている。主粒子７１は、帯電可能な材料で形成され、例えば、架橋ＰＭＭＡ（ポリメタクリル酸メチル）、ＰＣ（ポリカーボネイト）、ＨＤＰＥ（高密度ポリエチレン）、ＰＰ（ポリプロピレン）、ＡＢＳ（アクリロニトリルブタジエンスチレン）、ＰＥＴ（ポリエチレンテレフタレート）、ＰＯＭ（ポリアセタール）等の樹脂で形成されている。
【００３８】
また、主粒子７１の表面に逆の帯電性を有する小粒子７３を付着させるため、主粒子７１の硬さは、ＪＩＳ  Ｋ  ７２０２に記載されるロックウェル硬さ試験方法による測定で、ロックウェル硬さがＭ９０よりも大きいものが望ましい。電圧を印加すると、逆の帯電性を有する主粒子７１と小粒子７３とは逆方向に移動しようとしたり、移動中に他の帯電粒子や部材と衝突したり等して、主粒子７１が軟らかいと小粒子７３がめり込んでしまうおそれがある。これを避けるため、主粒子７１はロックウェル硬さがＭ９０よりも大きいものとする。
【００３９】
主粒子７１の表面に接着される小粒子７３は、帯電可能な材料であるシリカ微粒子や酸化チタン微粒子等の無機粒子、又は樹脂微粒子で形成される。ここで、主粒子７１と小粒子７３とは逆の帯電性を有し、剥離用粒子７の全体の帯電性は、主粒子７１と同じであり、小粒子５３とは逆となる。また、小粒子７３は、主粒子７１とほぼ同等の硬さ、すなわちロックウェル硬さがＭ９０よりも大きいものが望ましい。さらに、図５に示すように、小粒子７３の粒径ｒｂは、主粒子７１の１０分の１〜１００分の１である。また、小粒子７３が主粒子７１の表面のどの程度を覆っているかを示す被覆率は、３０％以上が望ましい。被覆率が３０％よりも小さいと、剥離用粒子７と逆の帯電性を有する第一表示用粒子５が剥離用粒子７に近づいたときに、第一表示用粒子５と同じ帯電性を持つ小粒子７３が反発する力が弱く、第一表示用粒子５に付着してしまい、第一表示用粒子５を上部基板２０から剥がすという効果が薄れるためである。さらに、小粒子７３は、主粒子７１の表面をほぼ均一に覆っている。このため、第一表示用粒子５のどの面が上部基板２０側に来たとしても、小粒子７３が電極に反発する作用により第一表示用粒子５を振動させ、上部基板２０から剥がすことができる。
【００４０】
図５に示すように、主粒子７１と小粒子７３の間には、小粒子７３を主粒子７１に接着するための透明の膜である接着膜７２が、主粒子７１の表面を覆うように設けられている。接着膜７２は、剥離用粒子７がその作用を発揮するために必須の構成ではないが、小粒子７３の主粒子７１への接着を確実にできるため、剥離用粒子７の作用効果をさらに高めることができる。接着膜７２は、非架橋ＰＳ（ポリスチレン），非架橋ＰＭＭＡ，ＡＳ，ＥＶＡ（エチレン酢酸ビニル共重合体）等の樹脂で形成されている。これらの材料は、小粒子７３を接着するため、小粒子７３よりも軟らかいものが用いられている。すなわち、ロックウェル硬さがＭ９０よりも小さいものが望ましい。また、前述のように、主粒子７１と小粒子７３は同程度の硬さであるから、接着膜７２は、どちらの粒子よりも軟らかい材料で形成されることとなる。
【００４１】
また、接着膜７２の膜厚は、その表面に付着する小粒子７３の粒子が全て接着膜７２の中に入ってしまわないように、小粒子７３の粒径の２０〜８０％に形成されている。接着膜７２が薄すぎると、小粒子７３を主粒子７１に接着する力が弱くなり、逆の帯電性を有する主粒子７１と小粒子７３とが逆方向に移動しようとしたり、移動中に他の帯電粒子や部材と衝突したとき等に小粒子７３が主粒子７１から剥がれたりするおそれがある。また、小粒子７３の粒子が全て接着膜７２の中に入ってしまうと、表示基板に剥離用粒子７が近づいたときに、逆の帯電性を持つ小粒子７３が電極に反発しにくくなってしまい、剥離用粒子７が振動・回転することにより上部基板２０から第一表示用粒子５を剥がすという効果が薄れるためである。
【００４２】
以上の構成を有する画像表示装置１において、電圧を切り替えた場合の剥離用粒子７の作用について、図６を参照して説明する。図６は、剥離用粒子７の作用を示す遷移図である。黒表示から白表示に電圧が切り替わった場合に、鏡像力により上部基板２０側に付着したままで下部基板１０側に動き出さない第一表示用粒子５がある場合を例に説明する（図２参照）。
【００４３】
まず、上部電極２０の極性が正から負に切り替わると、図６（１）に示すように、全体が正に帯電した剥離用粒子７が上部電極２２に引きつけられて上部基板２０に近づいてくる。
【００４４】
次に、図６（２）に示すように、上部電極２２と剥離用粒子７との距離が近づくと、剥離用粒子７表面の小粒子７３（負に帯電）と上部電極２２との相互作用が強くなり、小粒子７３と上部電極２２は同じ極性であるために反発しあい、剥離用粒子７は上部電極２２から離れる。そして、小粒子７３と上部電極２２との反発力よりも主粒子７１と上部電極２２の引力が大きくなるところまで離れると、主粒子７１と上部電極２２の引力により剥離用粒子７は再び上部電極２２に近づく。さらに、剥離用粒子７の動きは上部電極２２近くで加速されているため、引力と反発力が釣り合ったところでも止まらず、振動を続ける。
【００４５】
そして、図６（３）に示すように、剥離用粒子７は上部電極２２に引きつけられたり反発したりを繰り返し、さらに、分散媒３４からの抵抗や他の粒子との衝突などにより回転する。このため、水平方向にも移動して、上部基板２０に貼りついている第一表示用粒子５に衝突し、第一表示用粒子５を振動させる。
【００４６】
以上の動きが繰り返され、図６（４）に示すように、剥離用粒子７が回転し衝突することにより第一表示用粒子５が振動することになり、その振動の作用で第一表示用粒子５は、上部基板２０から引きはがされて、下部基板１０側に移動することになる。従って、鏡像力により貼りついた表示用粒子が存在しても、剥離用粒子７の作用により上部基板２０から引きはがされ、コントラストが向上する。
【００４７】
以上説明したように、本実施形態の画像表示装置１では、表示用の第一表示用粒子５及び第二表示用粒子６とは別に、これらの粒子よりも小さく、一方の表示用粒子である第一表示用粒子５と逆の帯電性を有する剥離用粒子７を表示部３０内に分散させた。そして、剥離用粒子７は、主粒子７１の表面に小粒子７３を接着させて構成し、主粒子７１と小粒子７３に相互に異なる帯電性をもたせた。このため、第一表示用粒子５と同極性の電圧が上部電極２２にかけられたときに、上部電極２２と逆の帯電性を有する剥離用粒子７が上部基板２０のごく近くまで引きつけられると、上部電極２２と同極性を持つ小粒子７３が反発して上部基板２０から離れようとするため、剥離用粒子７が振動・回転を繰り返すこととなる。従って、鏡像力により移動せず上部基板２０側にとどまっている第一表示用粒子５が存在する場合にも、振動・回転を繰り返す剥離用粒子７が第一表示用粒子５に衝突し、第一表示用粒子５を振動させるため、上部基板２０に貼りついている第一表示用粒子５を上部基板２０から引きはがすことができる。
【００４８】
尚、本発明は上記実施形態に限られるものではなく、その趣旨を逸脱しない範囲で種々の変形が可能である。たとえば、上記実施形態では、第一表示用粒子５を上部基板２０側から剥離するための剥離用粒子７を設けたが、第二表示用粒子６を剥離するための剥離用粒子を設けてもよい。さらに、それぞれの表示用粒子を剥離するために、帯電性の異なる二種類の剥離用粒子を設けてもよい。
【図面の簡単な説明】
【００４９】
【図１】画像表示装置１の正面図である。
【図２】表示パネル２のＡ−Ａ線（図１）における矢視方向断面図である。
【図３】画像表示装置１の電気的構成を示すブロック図である。
【図４】剥離用粒子７の正面図である。
【図５】剥離用粒子７のＢ−Ｂ線（図４）における断面図である。
【図６】第一表示用粒子５の動きを示す遷移図である。
【符号の説明】
【００５０】
１      画像表示装置
２      表示パネル
３      制御装置
５      第一表示用粒子
６      第二表示用粒子
７      剥離用粒子
１０      下部基板
１２      下部電極
２０      上部基板
２２      上部電極
３０      表示部
３４      分散媒
７１      主粒子
７２      接着膜
７３      小粒子
９０      制御部
【図１】
2007249139.tif 000003
【図２】
2007249139.tif 000004
【図３】
2007249139.tif 000005
【図４】
2007249139.tif 000006
【図５】
2007249139.tif 000007
【図６】
2007249139.tif 000008